(57)【要約】【課題】弾性糸を挿入する部分の締め込み用の張力を均一にすることにより、着用感を良好にするとともに、弱い張力でもずれ動きをしっかりと防止できるようにした靴下ならびにその編成方法を提供できるようにする。【解決手段】つま先部分から足挿入口部分もしくは足挿入口部分からつま先部分に向けて編糸が周回状に給糸されて編成され、少なくとも足挿入口部分乃至その近傍部分に収縮弾性糸を挿入してなる靴下において、編糸が靴下の表面に現れる表糸と、裏面に現れる裏糸とからなり、裏糸が弾性糸で形成され、この弾性糸で形成される裏糸をその編成コース方向にニットとタックとを交互に繰り返した編成部分を、表糸と弾性糸からなる裏糸とでニットした編成部分とを繰り返して形成された収縮弾性編地部分により靴下の足挿入口部分乃至その近傍の編地部分を形成した。【選択図】図３
2010281014.tif 000002
【特許請求の範囲】
【請求項１】
つま先部分から足挿入口部分もしくは足挿入口部分からつま先部分に向けて編糸が周回状に給糸されて編成され、少なくとも足挿入口部分乃至その近傍部分に収縮弾性糸を挿入してなる靴下において、編糸が靴下の表面に現れる表糸と、裏面に現れる裏糸とからなり、裏糸が弾性糸で形成され、この弾性糸で形成される裏糸をその編成コース方向にニットとタックとを交互に繰り返した編成部分を、表糸と弾性糸からなる裏糸とでニットした編成部分とを繰り返して形成された収縮弾性編地部分により靴下の足挿入口部分乃至その近傍の編地部分を形成したことを特徴とする靴下。
【請求項２】
つま先側部分に複数の指袋が形成されており、当該複数の指袋部分から足挿入口部分乃至その近傍部分までの筒状編地部分が、表糸と弾性糸からなる裏糸とで天竺組織で形成されていることを特徴とする請求項１に記載の靴下
【請求項３】
編糸が編機の編針に周回状に給糸されて、つま先部分から足挿入口部分に向けて編み出され、もしくは足挿入口部分からつま先部分に向けて編み出され、周回状に給糸された編糸で筒状の足挿入口側部分が編成され、この足挿入口部分乃至その近傍部分に収縮弾性糸が挿入されて編成される靴下の編成方法において、給糸される編糸が靴下の表面に現れる表糸と、裏面に現れる裏糸とからなり、裏糸が弾性糸で形成され、この弾性糸で形成される裏糸のみでその編成コース方向にニットとタックとを交互に繰り返した編成コースと、表糸と弾性糸からなる裏糸とでニットする編成コースとを適宜繰り返して形成された収縮弾性編地部分により、靴下の足挿入口部分乃至その近傍の編地部分を編成するようにしたことを特徴とする靴下の編成方法。
【請求項４】
編機が、編針を進退摺動可能に収納されたニードルベッドを少なくとも前後１対設けてなる横編機であることを特徴とする請求項１に記載の靴下の編成方法。
【請求項５】
複数の指袋の先端から編み出され、当該複数の指袋が合一された部分から足挿入口部分乃至その近傍部分までの筒状編地部分が、表糸と弾性糸からなる裏糸とで天竺組織で編成するようにしたことを特徴とする請求項３または請求項４に記載の靴下の編成方法。
【発明の詳細な説明】
【技術分野】
【０００１】
本発明は靴下およびその編成方法、特に着用感に優れた靴下およびその編成方法に関するものである。
【背景技術】
【０００２】
靴下を着用する足の形状は、指、土踏まず、踵や踝ならびに足首や脹脛を備える点で、形状がおおむね共通するものの、各部位の形状は個々に異なる。
そのために、靴下を着用した時にこうした各部位にもフィットさせるために、特許文献１に示されるように、靴下を編成するときに、弾性糸を挿入し、この弾性糸の収縮力により所望する部位を締めこむことにより、異なる形状にもフィットさせるようにしたものが知られている。
【０００３】
上記特許文献１に記載されているものは、靴下の編成時にフロートさせた複数の弾性糸を編針の１つ置きにタックさせ、そのタックさせた部分を次の編成コースの編糸でニットするとともに、前記弾性糸がミスした部分の編針に編糸をタックさせ、さらに続く編成コースで、前記編成コースで編糸をミスさせた部分にタックさせることにより、複数の弾性糸を保持するようにした編成コースを繰り返すようにしたものである。
【０００４】
こうしたものでは、挿入された複数の弾性糸がライン状に保持されているために、締め付け力も局部的に、かつ環状に作用する。
したがって、例えばこうした組織の編地を脹脛や足挿入口部分に実施する場合、ずれ動きを防ぐためには弾性糸の張力を強いものにしなくてはならず、その結果、着用感を低下させるだけでなく、高齢者や糖尿病患者のように皮膚の弾性が低下したものの場合には、脹脛や足挿入口部分の血流を阻害したり、当該脹脛や足挿入口部分に圧迫痕を残したりしてしまうという問題があった
【先行技術文献】
【特許文献】
【０００５】
【特許文献１】特開平１１−８１０９７号公報
【発明の概要】
【発明が解決しようとする課題】
【０００６】
本発明は上記問題点に鑑みて提案されたもので、弾性糸を挿入する部分の締め込み用の張力を均一にすることにより、着用感を良好にするとともに、弱い張力でもずれ動きをしっかりと防止できるようにした靴下ならびにその編成方法を提供できるようにすることを目的とするものである。
【課題を解決するための手段】
【０００７】
上記目的を達成するために本発明にかかる靴下は、つま先部分から足挿入口部分もしくは足挿入口部分からつま先部分に向けて編糸が周回状に給糸されて編成され、少なくとも足挿入口部分乃至その近傍部分に収縮弾性糸を挿入してなる靴下において、編糸が靴下の表面に現れる表糸と、裏面に現れる裏糸とからなり、裏糸が弾性糸で形成され、この弾性糸で形成される裏糸をその編成コース方向にニットとタックとを交互に繰り返した編成部分を、表糸と弾性糸からなる裏糸とでニットした編成部分とを繰り返して形成された収縮弾性編地部分により靴下の足挿入口部分乃至その近傍の編地部分を形成したことを最も主要な特徴とするものである。
【０００８】
また、本発明にかかる靴下では、つま先側部分に複数の指袋が形成されており、当該複数の指袋部分から足挿入口部分乃至その近傍部分までの筒状編地部分が、表糸と弾性糸からなる裏糸とで天竺組織で形成されていることも特徴とするものである。
【０００９】
本発明にかかる靴下の編成方法は、編糸が編機の編針に周回状に給糸されて、つま先部分から足挿入口部分に向けて編み出され、もしくは足挿入口部分からつま先部分に向けて編み出され、周回状に給糸された編糸で筒状の足挿入口側部分が編成され、この足挿入口部分乃至その近傍部分に収縮弾性糸が挿入されて編成される靴下の編成方法において、給糸される編糸が靴下の表面に現れる表糸と、裏面に現れる裏糸とからなり、裏糸が弾性糸で形成され、この弾性糸で形成される裏糸のみでその編成コース方向にニットとタックとを交互に繰り返した編成コースと、表糸と弾性糸からなる裏糸とでニットする編成コースとを適宜繰り返して形成された収縮弾性編地部分により、靴下の足挿入口部分乃至その近傍の編地部分を編成するようにしたことを最も主要な特徴とするものである。
【００１０】
本発明にかかる靴下の編成方法では、編機が、編針を進退摺動可能に収納されたニードルベッドを少なくとも前後１対設けてなる横編機であることや、複数の指袋の先端から編み出され、当該複数の指袋が合一された部分から足挿入口部分乃至その近傍部分までの筒状編地部分が、表糸と弾性糸からなる裏糸とで天竺組織で編成するようにしたことも特徴とするものである。
【発明の効果】
【００１１】
本発明によれば、給糸される編糸が靴下の表面に現れる表糸と、裏面に現れる裏糸とからなり、裏糸が弾性糸で形成され、編成コース方向にニットとタックとを交互に繰り返して給糸された弾性糸で形成される裏糸がその後に、表糸と弾性糸からなる裏糸とでニットされることにより、組織の表面は裏糸のみからなる部分がくぼんであたかもリブ編の概観を呈し、組織自体の伸縮性もたかく、大きく伸縮可能なものになる。
【００１２】
これにより、タックされた弾性糸とその後にニットされた弾性糸とが相互に絡み合い、張力が分散されて均一となり、張力を弱くしても、充分な保持力を発揮させることができるので、着用感を良好にするとともに、弱い張力でもずれ動きをしっかりと防止できるようにした靴下ならびにその編成方法を提供できる利点がある。
また、本発明の靴下の編成方法によれば、この弾性糸で形成される裏糸をニットとタックとを交互に繰り返した編成部分を、表糸と弾性糸からなる裏糸とでニットした編成部分とを繰り返して形成された収縮弾性編地部分により靴下の足挿入口部分乃至その近傍の編地部分を形成するだけの簡単な方法であり、既存の編機でも実施できる利点がある。
【図面の簡単な説明】
【００１３】
【図１】は本発明にかかる靴下の平面（甲側）図である。
【図２】は本発明にかかる靴下の編成コース図である。
【図３】は本発明にかかる靴下の組織の部分拡大図である。
【発明を実施するための形態】
【００１４】
以下、本発明にかかる靴下およびその編成方法の最も好ましい実施の形態を図面に基づいて説明する。
【実施例】
【００１５】
図1は本発明にかかる締め込み部を有する靴下の平面（甲側）図、図２はその底面（足の裏側）図であって、図中符号１は靴下を全体的に示す。
この靴下１は、図示は省略したが、編針を摺動可能に装着したニードルベッドを、その歯口部が近接する状態で側面視において“ハ”の字型で前後に配設し、各ニードルベッドの上面を摺動走行するキャリッジで各編針が進退摺動操作を可能にした周知の構造のいわゆる横編機を使用して５本の指袋を備えた指付き靴下に編成されている。
【００１６】
このキャリッジの摺動に連動して連行されて編針に給糸するヤーンフィーダは、図３に示すように、少なくとも表側に現れる表糸１６の給糸用と裏側に現れる裏糸１７の給糸用とが備えられている。
上記表糸はナイロン繊維やポリエステル繊維等の合成繊維や綿やシルク等の天然繊維、あるいはこれらの混紡が用いられ、裏糸としてポリウレタン繊維コアとしてその外周をカバーリング糸でカバーした、いわゆる弾性糸（ＦＴＹ）が用いられている。
【００１７】
図１に示す指付き靴下１は、つま先側部分に５本の指袋を備えた指付き靴下であって、横編機の前後のニードルベッドの編針に亙って編糸をジグザグに給糸してそれぞれ爪先部分から編み出された親指用の指袋２、人指し指用の指袋３、中指用の指袋４の各指袋が形成され、これらの指袋２〜４が合一された三本胴５が所定コース編成された後、薬指用の指袋６が編成される。
前記三本胴５と薬指用の指袋６とが合一された四本胴７が筒状に編成された後、小指用の指袋８が編成され、四本胴７と小指用の指袋８とが１つになった靴下１の五本胴９が所定コース分、編成される。
【００１８】
五本胴９が形成されると、土踏まず部分１０および底面部分に略三角形をした踵部分１２が形成された後、締め込み部分１２が形成される足首部分１３から脹脛１４を経て足挿入口１５まで筒状に編成される。
このとき、５本の指袋２・３・４・６・８から締め込み部分１２が形成される足首部分１３の直前までの筒状編成には、後述する図２の編成コース１および編成コース２にあるように、ナイロン繊維やポリエステル繊維等の合成繊維や綿やシルク等の天然繊維、あるいはこれらの混紡糸等からなる表糸１６と前記の弾性糸とが同一編成コースで周回状に給糸されて編成されている。
【００１９】
そして、締め込み部分１２が形成される足首部分１３から脹脛部分１４を経て足挿入口１５までの筒状編成は、図２に示す編成コースで行われる。
図２では、左方の「コース」部分の数字はヤーンフィーダからの給糸による編成コース、英文字Ｂは横編機の前側のニードルベッド、Ｆは後側のニードルベッド、「方向」の矢印はヤーンフィーダを連行するキャリッジ（ともに図示せず）の摺動方向、「編成状態」は編針に給糸された編糸の種類をそれぞれ示す。
【００２０】
図２における編成コース１および編成コース２は、図１における締め込み部分１２が形成される直前の足首部分１３の編成部分であって、この編成では上記表糸１６と裏糸１７とが前後のニードルベッドの編針にわたって周回状に給糸されるとこにより、筒状の足首部分１３が編成される。
次に、編成コース３で弾性糸からなる裏糸１７を前後のニードルベッドの編針に周回状に、給糸されるとき、ニットとタックとを交互に繰り返した状態で当該前後のニードルベッドの編針に給糸される。
【００２１】
編成コース４で、表糸１６と裏糸１７とを前後のニードルベッドの編針に周回状に給糸してニットされ、編成コース５で前記編成コース３と同様に弾性糸からなる裏糸１７をニットとタックとを交互に繰り返した状態で当該前後のニードルベッドの編針に給糸された後、編成コース６で表糸１６と裏糸１７とを前後のニードルベッドの編針に周回状に給糸してニットする。
以後この編成コース３乃至編成コース６の編成が適宜回数繰り返されて足挿入口１５部分に至り、足挿入口１５部分ではその端部が端部処理され、内方に折り曲げられて内面に縫着されると靴下１の編成が終了する。
【００２２】
斯くして、編成された靴下１は、図３の組織拡大図に示すように編成コース方向にニットとタックとを交互に繰り返して給糸された弾性糸で形成される裏糸１７がその後に、表糸１６と弾性糸からなる裏糸１７とでニットされているので、組織の表面は裏糸１７のみからなる部分がくぼんであたかもリブ編Rの概観を呈する。
また、タックされた弾性糸とその後に表糸１６とともにニットされた弾性糸とが相互に絡み合っているので、張力が分散されて均一となる。
【００２３】
尚、上記実施の形態では靴下１を指付きの靴下を例示してあるが、指袋のない靴下にも本発明を実施することができるのはもちろんのこと、横編機に代えて丸編機で編成することもできる。
さらに、上記実施の形態では靴下１をつま先部分側から編成するようにしてあるが、足挿入口側から編み出すこともできるのはいうまでもないことである。
【符号の説明】
【００２４】
１・・・靴下
１２・・・締め込み部分
１５・・・足挿入口
１６・・・表糸
１７・・・裏糸
【図１】
2010281014.tif 000003
【図２】
2010281014.tif 000004
【図３】
2010281014.tif 000005